(57)【要約】【課題】既存の屋根に与える負担を少なくし、安定した足場を維持することができる、スレート又はスレートに類似した折版を複数のボルトで留める形式の屋根に設置する作業用足場を提供すること。【解決手段】作業用足場１は、足場板２と、スレート屋根１０上に屋根材を留めるボルト１１に被せられるボルトキャップ３と、を備える。ボルトキャップ３は足場板２の貫通孔２２に挿入される先端部３２を有する。さらに、作業用足場１は、足場板２の側縁に沿って立設する踏み板４と、防護ネット５、及びスレート屋根１０の左右を挟むように設けられた一組の支柱６間に架け渡され、防護ネット５を掛着するワイヤ７と、を備える。【選択図】図１
2010189891.tif 000002
【特許請求の範囲】
【請求項１】
スレート又はこれに類似した形状の折版を複数のボルトにより固定した屋根に設置される作業用足場であって、
複数の貫通孔を有する足場板と、
前記屋根上に突出する前記複数のボルトそれぞれに被せられる複数のボルトキャップと、を備え、
前記複数のボルトキャップは、
先端側が前記貫通孔に挿入されるボルトキャップ本体と、
前記ボルトキャップ本体の基端側に設けられ、前記ボルトキャップ本体から外側に向かって延出する延出部と、を有する作業用足場。
【請求項２】
前記ボルトキャップは、前記ボルトキャップ本体の底面に磁石を有する請求項１に記載の作業用足場。
【請求項３】
前記足場板の側縁に沿って立設する踏み板をさらに有する請求項１又は２に記載の作業用足場。
【請求項４】
先端が前記屋根の上に位置するように設けられた一組の支柱と、
前記一組の支柱間を繋ぐワイヤと、
下端側が前記足場板に固定され、上端側に設けられたフックにより、前記ワイヤに掛着される防護ネットと、をさらに備える請求項１から３のいずれかに記載の作業用足場。
【発明の詳細な説明】
【技術分野】
【０００１】
本発明は、スレート屋根およびこれに類似した形状の折版屋根（以下スレート屋根という）上に設置される作業用足場に関する。
【背景技術】
【０００２】
スレート屋根は、外気に触れる部分であり天候の変化の影響を直接受ける部分であるので定期的なメンテナンスを必要とする。従来、スレート屋根の補修方法としては、スレート屋根を葺き替えたり、既存のスレート屋根の上に新たなスレート屋根を重ねたり、また、スレート屋根の上面に塗料を塗り直したりする方法が知られている。
【０００３】
このようなスレート屋根の改修方法のいずれにおいても、作業者が改修対象の屋根上を移動して作業を行う必要がある。この場合、作業者は地上を歩行するのと同じ靴で屋根上を歩行することが多い。この靴は、通常作業しやすい靴が選択されるため、経年劣化によりもろくなっているスレート屋根については考慮されていない場合がある、このため、作業中にスレート屋根の上を歩くと、作業者の体重と共に衝撃がスレート屋根に直接与えられるため、作業中にスレート屋根が破損してしまう場合がある。また、スレート屋根の上は、通常傾斜していたり、スレートおよびこれに類似した形状の折版（以下スレートという）が波状に形成されていたりするなど、足下が不安定であるので、作業中に作業者が落下する危険性がある。
そこで、足場の設置と作業者の屋根上での移動とを最小限にできる改修屋根及び改修工法が提案されている（例えば、特許文献１参照）。
【先行技術文献】
【特許文献】
【０００４】
【特許文献１】特許第４０９８６１６号公報
【発明の概要】
【発明が解決しようとする課題】
【０００５】
特許文献１の改修屋根及び改修工法は、既存のスレート屋根の上に足場用の下地材を載置し、さらにこれを支持部材として屋根部材を重ねて載置するというものである。この場合、改修用の足場がそのまま新しい屋根の下地を兼ねるため、既存スレート屋根に載置する部材が多くなり、既存スレート屋根にかかる負担が大きくなる。このため、作業中にスレート屋根が破損してしまう可能性がある。また、下地材を足場とするのみでは、下地材が設置された部分に行動範囲が制限されるため、作業効率が落ちるだけでなく、安全性に欠ける。
【０００６】
そこで、本発明は、既存の屋根に与える負担を少なくし、安定した足場を維持することができる、スレート又はスレートに類似した折版を複数のボルトで留める形式の屋根に設置する作業用足場を提供することを目的とする。
【課題を解決するための手段】
【０００７】
本発明に係る作業用足場は、スレート又はこれに類似した形状の折版を複数のボルトにより固定した屋根に設置される作業用足場であって、複数の貫通孔を有する足場板と、前記屋根上に突出する前記複数のボルトそれぞれに被せられる複数のボルトキャップと、を備え、前記複数のボルトキャップは、先端側が前記貫通孔に挿入されるボルトキャップ本体と、前記ボルトキャップ本体の基端側に設けられ、前記ボルトキャップ本体から外側に向かって延出する延出部と、を有することを特徴とする。
【０００８】
なお、前記ボルトキャップは、前記ボルトキャップ本体の底面に磁石を有することが好ましい。
【０００９】
また、作業用足場は、前記足場板の側縁に沿って立設する踏み板をさらに有することが好ましい。
【００１０】
また、作業用足場は、先端が前記屋根の上に位置するように設けられた一組の支柱と、前記一組の支柱間を繋ぐワイヤと、下端側が前記足場板に固定され、上端側に設けられたフックにより、前記ワイヤに掛着される防護ネットと、をさらに備えることが好ましい。
【発明の効果】
【００１１】
本発明によれば、既存の屋根に与える負担を少なくし、安定した足場を維持することができる、スレート又はスレートに類似した折版を複数のボルトで留める形式の屋根に設置する作業用足場を提供することができる。
【図面の簡単な説明】
【００１２】
【図１】本発明の第１実施形態に係る作業用足場をスレート屋根上に設置した全体図である。
【図２】本発明の第１実施形態に係る足場板の斜視図である。
【図３】本発明の第１実施形態に係るボルトキャップの斜視図である。
【図４】図３のＸ−Ｘ方向断面図である。
【図５】本発明の第１実施形態に係る作業用足場をスレート屋根上に設置した場合の断面図である。
【図６】本発明の第２実施形態に係るボルトキャップの斜視図である。
【図７】図６のＹ−Ｙ方向断面図である。
【発明を実施するための形態】
【００１３】
以下、本発明の実施形態について図面に基づいて説明する。
【００１４】
図１から図４を参照して作業用足場１について説明する。図１は、作業用足場１をスレート屋根１０上に設置した作業用足場１の全体図である。図２は、足場板２の斜視図である。図３は、ボルトキャップ３の斜視図である。図４は、図３のＸ−Ｘ方向断面図である。
【００１５】
作業用足場１は、足場板２と、スレート屋根１０に屋根材を固定する複数のボルト１１それぞれに被せられる複数のボルトキャップ３と、を備える。さらに、作業用足場１は、足場板２の側縁に沿って立設する踏み板４と、下端側が足場板２に固定された防護ネット５と、スレート屋根１０上に先端部が位置するように設けられた一組の支柱６と、一組の支柱６間に架け渡されたワイヤ７と、を備える。
【００１６】
足場板２は、図２に示すように、平板状の足場板本体２１と、足場板本体２１に形成された複数の貫通孔２２と、踏み板４と、を備える。
【００１７】
足場板本体２１は、略矩形状の板であり、作業者がその上に立って作業を行う足場となる。
【００１８】
複数の貫通孔２２は、後述のボルトキャップ３の先端部３２（図３）が挿入される孔であり、足場板本体２１の所定位置に、直線上に並ぶように所定間隔をおいて形成される。複数の貫通孔２２が形成される位置は、作業用足場１が設置されるスレート屋根１０の上面に突出する複数のボルト１１の位置に応じて形成されている。
【００１９】
足場板本体２１の側縁には、踏み板４が設けられている。踏み板４は、作業用足場１がスレート屋根１０の上に設置される場合に、スレート屋根１０の斜面における地面側を向く側縁に沿って少なくとも設けられる。
【００２０】
この踏み板４は、長方形の形状をなしており、足場板２の内方側に向けて所定の角度で傾けた状態でその下端側が足場板２に固定され、足場板２に立設される。足場板２に乗った作業者が足場板２の端部に来た場合に、作業者が立つ位置が踏み板４により足場板２の端部であることを認識させ、さらに踏み板４を踏みつけて足場板２の内方側に向けて体の重心を移動させることができる。このように、踏み板４を配置することにより、作業者が足場板２を踏み外すことを防止することができる。
【００２１】
ボルトキャップ３は、図３及び図４に示すように、先端部３２が足場板本体２１の貫通孔２２に挿入されるボルトキャップ本体３１と、ボルトキャップ本体３１の基端部３３においてボルトキャップ本体３１から外方向に向けて延出した延出部３４と、基端部３３の下面に形成された凹部３５と、凹部３５に配置された磁石３６と、を有する。
【００２２】
ボルトキャップ本体３１の先端部３２は、足場板２の貫通孔２２に挿入される部分である。本実施形態においては、先端部３２は円柱状に形成されている。なお、先端部３２は、貫通孔２２に挿入可能な形状であればよく、その形状は特に限定されない。貫通孔２２の形状に合わせた形状に形成されることが好ましい。
【００２３】
延出部３４は、ボルトキャップ本体３１の基端部３３側に形成され、ボルトキャップ本体３１の周面から外方に向けて延出した部分である。延出部３４は、先端部３２が足場板２の貫通孔２２に挿入された場合に、足場板２を直接支持する部分となる。このため、延出部３４は所定の厚さを有することが好ましい。延出部３４の厚さの分だけ、足場板２がスレート屋根１０の上面から離れた位置に支持される（図５参照）。
【００２４】
凹部３５は、ボルトキャップ本体３１の基端部３３側の下面略中央に形成されている（図４参照）。凹部３５は、ボルトキャップ３がボルト１１に被せられた場合に、スレート屋根１０に突出するボルト１１を収納する部分である。
【００２５】
磁石３６は、凹部３５の底部に設けられ、凹部３５に収納されたボルト１１をその磁力により凹部３５の底部に密着させ、ボルトキャップ３をボルト１１から外れにくくする。
【００２６】
防護ネット５は、その下端が足場板２に固定され、上端にはフック５１が設けられている。このフック５１は、足場板２が設置されるスレート屋根１０を挟むように設置された一組の支柱６間に架け渡されたワイヤ７に掛着される（図１参照）。そして、足場板２とワイヤ７に防護ネット５が張られ、作業者が足場板２から転落することを防止する。防護ネット５が設けられる位置は、足場板２をスレート屋根１０の上に配置した場合に、傾斜の下側に位置する側縁に沿った位置が好ましい。
また、防護ネット５の編み目は作業に使用する器具の把持部分が通過する程度に大きいことが好ましい。これにより、防護ネット５が張られた方向でも作業することができる。
【００２７】
支柱６は、その先端がスレート屋根１０に位置するように設置される。そして、足場板２を挟むように、スレート屋根１０の上に足場板２を設置する位置に応じて設けられることが好ましい。そして、一組の支柱６の間にワイヤ７が架け渡される。このワイヤ７は、防護ネット５のフック５１が掛着されると共に、足場板２上で作業する作業者の命綱が接続される（図示せず）。
【００２８】
図１及び図５を参照して、作業用足場１の設置方法について説明する。図５は、作業用足場１をスレート屋根１０上に設置した場合の断面図である。
【００２９】
まず、作業するスレート屋根の両側に一組の支柱６を設置し、一組の支柱６間にワイヤ７を架け渡す。
【００３０】
次に、スレート屋根１０上において、足場板２を設置する位置のボルト１１にそれぞれボルトキャップ３を被せる。そして、ボルトキャップ３の先端部３２と、足場板２の貫通孔２２との位置を合わせ、ボルトキャップ３の先端部３２を足場板２の貫通孔２２に挿入して足場板２をスレート屋根１０の上に載置する。
【００３１】
ボルトキャップ３と足場板２とをスレート屋根１０の上に載置すると、図５に示すような状態となる。すなわち、ボルトキャップ３の凹部３５がボルト１１の先端部分を覆うように被せられており、ボルトキャップ３の基端部３３の下面のみがスレート屋根１０に接触した状態となる。そして、足場板２の貫通孔２２にボルトキャップ３の先端部３２が挿入された足場板２は、ボルトキャップ３の延出部３４上で支持された状態となる。すなわち、足場板２は、スレート屋根１０には直接接触しない状態でスレート屋根１０の上面に設置される。
【００３２】
このとき、足場板２は、踏み板４が立設する側縁がスレート屋根１０の下方向となるように設置される。そして、同じ側縁に固定されている防護ネット５の端部を持ち上げ、その先端に設けられているフック５１をワイヤ７に掛着する。これにより、防護ネット５は足場板２の下方側で縦に張られた状態となる。
【００３３】
図６及び図７を参照して第２実施形態について説明する。第２実施形態は、ボルトキャップ３の形状が第１実施形態と異なる。以下、第１実施形態と異なる点を中心に説明し、第１実施形態と同様の部分については説明を省略する。なお、第１実施形態と同様の場合は同じ符号を付している。
【００３４】
図６は、第２実施形態のボルトキャップ３の斜視図である。図７は、第２実施形態のボルトキャップのＹ−Ｙ方向断面図である。
【００３５】
第２実施形態のボルトキャップ３は、延出部３４がボルトキャップ本体３１の基端部３３から所定距離はなれた位置に形成されている。これにより、作業用足場１において、スレート屋根１０に接触する部分が基端部３３の下面に形成された凹部３５以外の面積のみとなり、スレート屋根１０と接触する部分を最低限の面積にすることができる。
【００３６】
上述の実施形態によれば、複数の貫通孔２２を有する足場板２と、スレート屋根１０上に突出するボルト１１に被せたボルトキャップ３とを備え、ボルトキャップ３の先端部３２を足場板２の貫通孔２２に挿入する構成としたので、作業用足場１がスレート屋根１０に接触する部分を最低限にすることができ、既存スレート屋根に与える負担を少なくすることができる。
屋根材を留めるボルト１１の部分は通常金属製であり、また、ボルト１１自体はスレート屋根１０の基部部分に固定されるため、スレート屋根１０の屋根材よりも強度が高く、足場板２自体や作業者の荷重を受けても破損しにくい。作業用足場１は、ボルトキャップ３をスレート屋根１０のボルト１１に被せ、これを、足場板２を支持する基部とするため、スレート屋根の屋根材を痛めることがない。
【００３７】
上述の実施形態によれば、ボルトキャップ３は、足場板２の貫通孔２２に挿入する先端部３２と、ボルトキャップ本体３１の外方向に演出する延出部３４を備える。このため、先端部３２を貫通孔２２に挿入すると足場板２をボルトキャップ３の延出部３４で支持する状態となる。したがって、足場板２がスレート屋根１０の屋根材であるスレートに直接触れない状態でスレート屋根１０の上面に設置される。
したがって、足場板２の上面に作業者が乗ってもスレート屋根１０の屋根材に荷重がかからず、スレート屋根１０の屋根材が破損することを防止することができる。また、スレート屋根１０に塗装を施した直後でも作業用足場１を設置することができるので、作業効率を高めることができる。
【００３８】
上述の実施形態によれば、ボルトキャップ３は、基端部３３に凹部３５を備え、凹部３５の底部に磁石３６を備える。このため、ボルトキャップ３をスレート屋根１０に突出するボルト１１に被せた場合、磁石３６の磁力により金属製のボルトがボルトキャップ本体３１に引き寄せられ、ボルトキャップ３が離脱することを防止することができる。
【００３９】
上述の実施形態によれば、作業用足場１は、足場板２の側縁に立設する踏み板４を備える。これにより、足場板２に乗った作業者が足場板２の端部に来た場合に、踏み板４を踏んで足場板２の内方側に向けて重心を移動させることができ、作業者が足場板２を踏み外すことを防止したり、作業用足場１から転落するのを防止したりすることに寄与することができる。
【００４０】
上述の実施形態によれば、作業用足場１は、足場板２の端部に固定され、一組の支柱６間に架け渡されたワイヤ７に掛着される防護ネット５を備える。この防護ネット５は、作業用足場１がスレート屋根１０上に設置された場合に、フック５１によりワイヤ７に掛着され、ワイヤ７と足場板２との間に縦に張られた状態になる。これにより、足場板２の上で作業する作業者が転んだ場合でも、スレート屋根１０から作業者が転落することを防止することができる。
【００４１】
上述の実施形態によれば、作業用足場１は、少なくとも足場板２と、足場板２の貫通孔２２に挿入される先端部３２を有するボルトキャップ３を有する。このように簡便な構造であるので、安価に作業用足場１を提供することができる。また、ボルトキャップ３をスレート屋根１０上で作業する領域のボルト１１に事前に被せておくことにより、簡便に作業用足場１を移動することができる。
【００４２】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施例に記載されたものに限定されるものではない。
【００４３】
例えば、上述の実施形態においては、ボルトキャップ３は、円柱状の先端部３２を有するとしたがこれに限らない。足場板２の貫通孔２２に挿入可能であれば形状は任意である。例えば、四角柱や三角柱等、任意の形状であってもよい。この場合、足場板２の貫通孔２２もボルトキャップ本体３１及び先端部３２の断面形状と同じ形状であることが好ましい。
【００４４】
また、上述の実施形態においては、足場板２は、作業用足場１がスレート屋根１０の上に設置される場合に、スレート屋根１０の斜面における地面側に向く足場板本体２１の側縁に踏み板４を備えるとしたが、これに限らない。例えば、第１実施形態における踏み板４が配置された側縁に対向する側縁にも踏み板４を設けてもよい。これにより、足場板本体２１を設置する際に、どちらの側縁をスレート屋根１０の傾斜の地面側に配置してもよいので、設置する際の利便性を高くすることができる。なお、この場合、防護ネット５の下端は、着脱可能とし、地面側となる側縁に固定する固定手段を有していることが好ましい。この場合の固定手段は既知の手段を使用することができる。
【００４５】
また、上述の実施形態においては、ボルトキャップ３は全て同一の形状であるとしたがこれに限らない。例えば、スレート屋根１０における地面側に配置されるボルトキャップ３は、スレート屋根１０の斜面の上側に配置されるボルトキャップ３よりも延出部３４の位置が高い位置となるように形成してもよい。その高さは、例えば、スレート屋根１０の斜面の上側に配置されたボルトキャップ３の延出部３４とスレート屋根１０の下側に配置されたボルトキャップ３の延出部３４とが水平となる高さが好ましい。これにより、足場板２を屋根上に水平に載置することができ、安定した足場を提供することができる。
【００４６】
また、上述の実施形態では、本発明に係る作業用足場１は、スレート屋根１０に設置するものとしているが、これに限らない。スレート屋根に類似した構造の建物に適用することができる。具体的には、屋根を葺く場合に、スレート屋根１０のように、屋根材を複数のボルトで留める方法を用いた屋根であれば本発明に係る作業用足場１を設置することができる。
【符号の説明】
【００４７】
１  作業用足場
２  足場板
３  ボルトキャップ
４  踏み板
５  防護ネット
６  支柱
７  ワイヤ
１０  スレート屋根
１１  ボルト
２２  貫通孔
３１  ボルトキャップ本体
３２  先端部
３３  延出部
３４  凹部
３５  磁石
５１  フック
【図１】
2010189891.tif 000003
【図２】
2010189891.tif 000004
【図３】
2010189891.tif 000005
【図４】
2010189891.tif 000006
【図５】
2010189891.tif 000007
【図６】
2010189891.tif 000008
【図７】
2010189891.tif 000009